(57)【要約】【課題】現像剤保持体を駆動する際における負荷を低減することができる画像形成装置及び現像装置を提供する。【解決手段】画像形成装置１０は、磁石部材２５２と、現像スリーブ２６０とを有し、磁石部材２５２は、感光体１０２へトナーが移動する移動領域Ｅ近傍に配置されている磁極Ｓ１と、層厚規制部材２４０近傍に配置されている磁極Ｎ２と、現像スリーブ２６０に現像剤を吸着させるための磁極Ｓ３とを備えていて、磁極Ｓ１の磁力をＴ１、磁極Ｎ２の磁力をＴ２、磁極Ｓ３の磁力をＴ３とした場合に、９０（ｍＴ）≦Ｔ１≦１２０（ｍＴ）であり、５０（ｍＴ）≦Ｔ２≦７５（ｍＴ）であり、４０（ｍＴ）≦Ｔ３≦５５（ｍＴ）であり、Ｔ２＜−αＴ３＋β（α、βは定数）である。【選択図】図３
2015025896.tif 000002
【特許請求の範囲】
【請求項１】
像を保持する像保持体と、
トナーとキャリアとが混合されてなる現像剤が収納された現像剤収納容器と、
前記現像剤収納容器に収納された現像剤中のトナーを前記像保持体へ移動させるトナー移動機構と、
を有し、
前記トナー移動機構は、
複数の磁極を備えた磁石部材と、
非磁性体から形成されていて、前記磁石部材の回りを回転し、表面に現像剤を保持する現像剤保持部材と、
を有し、
前記複数の磁極は、
前記現像剤保持体から前記像保持体へトナーが移動する移動領域近傍に配置されている現像磁極と、
前記現像剤保持部材の表面に吸着された現像剤の層厚を規制する層厚規制部材近傍に配置された層厚規制磁極と、
前記現像剤保持体の表面に現像剤を吸着させるための吸着用磁極と、
を含み、
前記現像磁極の磁力をＴ１、前記層厚規制磁極の磁力をＴ２、前記吸着用磁極の磁力をＴ３とした場合に、
９０（ｍＴ）≦Ｔ１≦１２０（ｍＴ）であり、
５０（ｍＴ）≦Ｔ２≦７５（ｍＴ）であり、
４０（ｍＴ）≦Ｔ３≦５５（ｍＴ）であり、
Ｔ２＜−αＴ３＋β（α、βは定数）
である画像形成装置。
【請求項２】
トナーとキャリアとが混合されてなり像保持体に形成された潜像の現像に用いられる現像剤が収納された現像剤収納容器と、
前記現像剤収納容器に収納された現像剤中のトナーを前記像保持体へ移動させるトナー移動機構と、
を有し、
前記トナー移動機構は、
複数の磁極を備えた磁石部材と、
非磁性体から形成されていて、前記磁石部材の回りを回転し、表面に現像剤を保持する現像剤保持部材と、
を有し、
前記複数の磁極は、
前記現像剤保持体から前記像保持体へトナーが移動する移動領域近傍に配置されている現像磁極と、
前記現像剤保持部材の表面に吸着された現像剤の層厚を規制する層厚規制部材近傍に配置された層厚規制磁極と、
前記現像剤保持体の表面に現像剤を吸着させるための吸着用磁極と、
を含み、
前記現像磁極の磁力をＴ１、前記層厚規制磁極の磁力をＴ２、前記吸着用磁極の磁力をＴ３とした場合に、
９０（ｍＴ）≦Ｔ１≦１２０（ｍＴ）であり、
５０（ｍＴ）≦Ｔ２≦７５（ｍＴ）であり、
４０（ｍＴ）≦Ｔ３≦５５（ｍＴ）であり、
Ｔ２＜−αＴ３＋β（α、βは定数）
である現像装置。
【発明の詳細な説明】
【技術分野】
【０００１】
本発明は、画像形成装置及び現像装置に関する。
【背景技術】
【０００２】
特許文献１には、非磁性トナーと磁性キャリアとを混合した２成分現像剤を収容した現像容器に、磁界発生手段を内蔵した非磁性の回転する現像剤担持体と、回転する攪拌搬送手段と、磁性の現像剤層厚規制部材とを備え、前記磁界発生手段の複数の磁極のうちの隣接した２つの同極の磁極の１つが現像剤層厚規制極とされ、前記現像剤担持体が、前記攪拌搬送手段の回転により供給された現像剤を担持し、前記規制部材と規制極とが協同して、前記現像剤担持体上に担持された現像剤の層厚を規制し、そして前記現像剤担持体が、回転する像担持体と対向した現像部で逆方向に移動する向きに回転して、前記規制された現像剤を前記現像部へ搬送し、前記像担持体上の静電潜像を前記搬送された現像剤で磁気ブラシ現像する現像装置において、前記現像剤担持体に対し、前記現像剤担持体の中心から見て前記現像剤担持体の回転方向に関し、前記規制部材よりも上流側で前記攪拌搬送手段よりも下流側の部分に、前記攪拌搬送手段の回転中心よりも鉛直方向に高い非磁性部材を配置したことを特徴とする現像装置が記載されている。
【０００３】
特許文献２には２成分現像を使用し、該現像剤を現像スリーブの軸方向に搬送する現像装置を用いる画像形成装置において、上記現像スリーブ上の現像剤の高さを規制する現像剤規制部材と上記現像剤の搬送に用いる撹拌搬送部材との間に、汲み上げられた現像剤を上記現像スリーブに押し付ける樹脂や金属材からなる第２の規制部材を設けてなることを特徴とする画像形成装置が記載されている。
【先行技術文献】
【特許文献】
【０００４】
【特許文献１】特開２００１−２８１９９７号公報
【特許文献２】特開２００２−２５８６０５号公報
【発明の概要】
【発明が解決しようとする課題】
【０００５】
本発明は、現像剤保持体を駆動するための負荷を低減することができる画像形成装置及び現像装置を提供することを目的とする。
【課題を解決するための手段】
【０００６】
請求項１に係る本発明は、像を保持する像保持体と、トナーとキャリアとが混合されてなる現像剤が収納された現像剤収納容器と、前記現像剤収納容器に収納された現像剤中のトナーを前記像保持体へ移動させるトナー移動機構と、を有し、前記トナー移動機構は、複数の磁極を備えた磁石部材と、非磁性体から形成されていて、前記磁石部材の回りを回転し、表面に現像剤を保持する現像剤保持部材と、を有し、前記複数の磁極は、前記現像剤保持体から前記像保持体へトナーが移動する移動領域近傍に配置されている現像磁極と、前記現像剤保持部材の表面に吸着された現像剤の層厚を規制する層厚規制部材近傍に配置された層厚規制磁極と、前記現像剤保持体の表面に現像剤を吸着させるための吸着用磁極と、を含み、前記現像磁極の磁力をＴ１、前記層厚規制磁極の磁力をＴ２、前記吸着用磁極の磁力をＴ３とした場合に、
９０（ｍＴ）≦Ｔ１≦１２０（ｍＴ）であり、
５０（ｍＴ）≦Ｔ２≦７５（ｍＴ）であり、
４０（ｍＴ）≦Ｔ３≦５５（ｍＴ）であり、
Ｔ２＜−αＴ３＋β（α、βは定数）
である画像形成装置である。
【０００７】
請求項２に係る本発明は、トナーとキャリアとが混合されてなり像保持体に形成された潜像の現像に用いられる現像剤が収納された現像剤収納容器と、前記現像剤収納容器に収納された現像剤中のトナーを前記像保持体へ移動させるトナー移動機構と、を有し、前記トナー移動機構は、複数の磁極を備えた磁石部材と、非磁性体から形成されていて、前記磁石部材の回りを回転し、表面に現像剤を保持する現像剤保持部材と、を有し、前記複数の磁極は、前記現像剤保持体から前記像保持体へトナーが移動する移動領域近傍に配置されている現像磁極と、前記現像剤保持部材の表面に吸着された現像剤の層厚を規制する層厚規制部材近傍に配置された層厚規制磁極と、前記現像剤保持体の表面に現像剤を吸着させるための吸着用磁極と、を含み、前記現像磁極の磁力をＴ１、前記層厚規制磁極の磁力をＴ２、前記吸着用磁極の磁力をＴ３とした場合に、
９０（ｍＴ）≦Ｔ１≦１２０（ｍＴ）であり、
５０（ｍＴ）≦Ｔ２≦７５（ｍＴ）であり、
４０（ｍＴ）≦Ｔ３≦５５（ｍＴ）であり、
Ｔ２＜−αＴ３＋β（α、βは定数）
である現像装置である。
【発明の効果】
【０００８】
請求項１に係る本発明によれば、現像剤保持体を駆動するための負荷を低減することができる画像形成装置を提供することができる。
【０００９】
請求項２に係る本発明によれば、現像剤保持体を駆動するための負荷を低減することができる現像装置を提供することができる。
【図面の簡単な説明】
【００１０】
【図１】本発明の実施形態に係る画像形成装置を示す図である。
【図２】図１に示す画像形成装置が有する現像装置を示す図である。
【図３】図２に示す現像装置が有する磁石部材が備える磁極の好ましい磁力を説明するグラフである。
【発明を実施するための形態】
【００１１】
次に本発明の実施形態を図面に基づいて説明する。
図１には、本発明の実施形態に係る画像形成装置１０が示されている。図１に示されるように、画像形成装置１０は画像形成装置本体１２を有し、画像形成装置本体１２内に像形成部１００と、給紙装置３００とが設けられている。また、画像形成装置本体１２内には、記録媒体として用いられる用紙を搬送するための搬送路４００が形成されている。
【００１２】
画像形成装置本体１２には、用紙を排出するための排出口１４が形成されている。また、画像形成装置本体１２の上側の面は排出部１６として用いられている。排出部１６には、排出口１４を介して画像形成装置本体１２内から用紙が排出される。また、画像形成装置本体１２には、支持板１８が取り付けられている。
【００１３】
支持板１８は、排出部１６とともに画像形成装置本体１２内から排出された用紙を支持するための部材であり、画像形成装置本体１２に対してヒンジ２０を中心として回転するように移動することができるように取り付けられている。
【００１４】
像形成部１００は、例えば単色の画像を形成するものであり、電子写真方式が採用されている。また、像形成部１００は、像を保持する像保持体として用いられている感光体１０２と、感光体１０２を帯電する帯電装置１１０と、帯電装置１１０によって帯電された感光体１０２の表面に光を照射し、感光体１０２の表面に静電潜像を形成する潜像形成装置１２０と、感光体１０２に形成された潜像をトナーを含む現像剤を用いて現像し、感光体１０２の表面にトナー像を形成する現像装置２００と、現像装置２００によって感光体１０２の表面に形成されたトナー像を用紙に転写する転写装置１３０と、転写装置１３０によってトナー像が用紙に転写された後に、感光体１０２を清掃する清掃装置１４０と、転写装置１３０によって用紙に転写されたトナー像を、その用紙に定着する定着装置１５０とを有する。
【００１５】
帯電装置１１０は帯電部材１１２を有する。帯電部材１１２は、例えばロール形状であり、感光体１０２に接触するように配置されているか感光体１０２に近接するように配置されていて、図示を省略する電源から直流の又は直流に交流が重畳された帯電電圧が印加され、感光体１０２を帯電させる。
【００１６】
現像装置２００は、トナーとキャリアとが混合されてなる現像剤を用いて潜像を現像する所謂二成分現像装置であり、例えば負極性に帯電する非磁性のトナーと、正極性に帯電する磁性キャリアとからなる現像剤が用いられる。また、現像装置２００は、現像剤が収納された現像剤収納容器として用いられている現像装置本体２０２と、現像装置本体２０２に取り付けられていて、現像装置本体２０２に収納されている現像剤中のトナーを感光体１０２に移動させる機構であるトナー移動機構２５０とを有する。現像装置２００の詳細は後述する。
【００１７】
転写装置１３０は、転写部材１３２を有する。転写部材１３２は、例えばロール形状であり、例えば感光体１０２に接触するように配置されていて、図示を省略する電源から転写のための電圧が印加される。
【００１８】
清掃装置１４０は、清掃部材１４２を有する。清掃部材１４２は、例えば板状の部材からなり、一端部が感光体１０２に対して押し付けられ、押し付けられた端部で感光体１０２の表面からトナー等を除去し、感光体１０２を清掃する。
【００１９】
定着装置１５０は、内部に熱源を有する加熱ロール１５２と、加熱ロール１５２に接触する加圧ロール１５４とを有し、加熱ロール１５２と加圧ロール１５４との接触部で用紙に転写されたトナーを加熱し、加圧して、用紙にトナー像を定着させる。
【００２０】
給紙装置３００は、像形成部１００に向けて用紙を供給する。給紙装置３００は、用紙が積層された状態で収納される用紙収納容器３０２と、用紙収納容器３０２から用紙を送り出す送り出しロール３０４とを有する。
【００２１】
搬送路４００は、給紙装置３００から転写装置１３０に向けて用紙を搬送し、転写装置１３０から定着装置１５０に向けて用紙を搬送し、画像形成装置本体１２内から排出するように用紙を搬送するための搬送路である。搬送路４００近傍には、搬送路４００に沿って用紙の搬送方向における上流側から順に、先述の送り出しロール３０４と、レジストロール４１０と、先述の転写装置１３０及び先述の感光体１０２と、先述の定着装置１５０と、排出ロール４２０とが配置されている。
【００２２】
レジストロール４１０は、感光体１０２と転写部材１３２とが接触する接触位置Ｎに向けて搬送される用紙の先端部の接触位置Ｎに向けての移動を一時的に停止させ、感光体１０２にトナーによる像が形成されるタイミングと合致するように、用紙の先端部の接触位置Ｎに向けての移動を再開させる。
【００２３】
図２には現像装置２００が示されている。現像装置２００は、先述のように現像装置本体２０２とトナー移動機構２５０とを有する。現像装置本体２０２には、例えば重力方向における上側の壁部に現像装置本体２０２の外側と現像装置本体２０２の内側とを連通させるように開口部２０４が形成されている。開口部２０４は、図示を省略するトナー収容容器に収容されたトナーを現像装置本体２０２内に補給するために用いられ、開口部２０４を介して落下するようにして、現像装置本体２０２内にトナーが補給される。
【００２４】
また、現像装置２００は、循環搬送部材２１０を有する。循環搬送部材２１０は、軸部２１２を中心に図２に示す矢印ａの方向に回転することで、例えば開口部２０４を介して現像装置本体２０２内に補給されたトナー等の現像剤を現像装置本体２０２内で撹拌しつつ、現像装置本体２０２内を循環させるように搬送する。また、現像装置２００は、循環搬送部材２２０を有する。循環搬送部材２２０は、軸部２２２を中心に図２に示す矢印ｂの方向に回転することで、現像装置本体２０２の現像剤を循環搬送部材２１０と同様に現像装置本体２０２内で撹拌しつつ、現像装置本体２０２内を循環させるように搬送する。循環搬送部材２１０と循環搬送部材２２０とにより現像剤が撹拌されつつ搬送されることにより、現像剤中のトナーがキャリアと擦れ合って、キャリアとの摩擦によりトナーが帯電される。
【００２５】
また、現像装置２００は、供給用搬送部材２３０を有する。供給用搬送部材２３０は、図２に示す矢印ｃの方向に回転することで、循環搬送部材２１０及び循環搬送部材２２０によって現像装置本体２０２内で循環され撹拌された現像剤をトナー移動機構２５０に向けて搬送する。
【００２６】
また、現像装置２００は、後述する現像スリーブ２６０の表面に吸着された現像剤の層厚を規制する層厚規制部材２４０を有する。層厚規制部材２４０の詳細は後述する。
【００２７】
トナー移動機構２５０は、磁石部材２５２と、現像スリーブ２６０とを有する。現像スリーブ２６０は非磁性体から形成されていて、磁石部材２５２の回りを回転し、外側の表面に現像剤を保持する現像剤保持体として用いられている。また、現像スリーブ２６０は例えば円筒形状であり、現像スリーブ２６０には、例えばギア列等から構成されている駆動伝達機構２８０を介して、駆動源として用いられているモータ２８２が連結されている。そして、現像スリーブ２６０は、モータ２８２からの駆動伝達を受けて図２に示す矢印ｄ方向に回転する。
【００２８】
磁石部材２５２は、例えば円柱形状であり、磁石部材２５２の長手方向に延びる複数の磁極を備えている。より具体的には、磁石部材２５２は、磁極Ｓ１、磁極Ｎ１、磁極Ｓ２、Ｓ３及び磁極Ｎ２の５つの磁極を備えている。ここで、磁極Ｓ１は、現像スリーブ２６０の表面から感光体１０２へトナーが移動する移動領域Ｅ近傍に配置されている現像磁極として用いられている。また、磁極Ｎ１は、現像スリーブ２６０の回転方向において磁極Ｓ１よりも下流側に配置されていて、現像スリーブ２６０の表面に現像剤を吸着させて、現像スリーブ２６０の回転に伴って現像剤を搬送させるための搬送磁極として用いられている。
【００２９】
また。磁極Ｓ２は、現像スリーブ２６０の回転方向において磁極Ｎ１よりも下流側に配置されていて、現像スリーブ２６０の表面から現像剤が離間する離間位置近傍に配置されている離間磁極として用いられている。また、磁極Ｓ３は、現像スリーブ２６０の回転方向において磁極Ｓ２の下流側に配置されていて、現像スリーブ２６０の表面に現像剤を吸着させるための吸着用磁極として用いられている。
【００３０】
また、磁極Ｎ２は、現像スリーブ２６０の回転方向において磁極Ｓ３の下流側に配置されていて、現像スリーブ２６０の表面に付着した現像剤の層厚を規制する層厚規制部材２４０近傍に配置された層厚規制磁極として用いられている。そして、図２に示されているように、磁極Ｎ２は、磁石部材２５２の下端部又は下端部近傍に配置することが望ましい。尚、図２における細線は、磁石部材２５２の磁極Ｓ１、磁極Ｎ２、磁極Ｓ２、磁極Ｓ３及び磁極Ｎ２の磁極プロファイルを示している。
【００３１】
層厚規制部材２４０は、現像スリーブ２６０を介して磁極Ｎ２と対向する位置に、現像スリーブ２６０との間に現像スリーブ２６０の長手方向に延びる隙間２４２を形成するように配置されている。このため、現像スリーブ２６０に吸着されている現像剤のうち隙間２４２を通過できない現像剤が、現像スリーブ２６０が矢印ｄ方向に回転することに伴って現像スリーブ２６０の表面から剥離され、現像剤が剥離されることで現像スリーブ２６０の表面に吸着されている現像剤の層の厚さが規制される。
【００３２】
層厚規制部材２４０は、磁性体から形成されたものであることが望ましく、円柱形状であることが望ましい。
【００３３】
以上のように構成された画像形成装置１０においては、感光体１０２の表面が帯電装置１１０によって帯電されて、帯電された感光体１０２の表面に潜像形成装置１２０により潜像が形成されて、感光体１０２の表面に形成された潜像が現像装置２００により現像されて、現像により感光体１０２の表面にトナー像が形成される。そして、このトナー像が転写装置１３２によって給紙装置３００から供給された用紙に転写され、用紙に転写されたトナー像が定着装置１５０によって用紙に定着され、定着装置１５０によってトナー像が定着された用紙が排出ロール４２０によって画像形成装置本体１２の外へと排出される。
【００３４】
この際、現像装置２００においては、循環搬送部材２１０、循環搬送部材２２０及び供給用搬送部材２３０によってトナー移動機構２５０へ向けて搬送されてきた現像剤中の磁性キャリアが磁極Ｓ３に吸着されるようにして、矢印ｄ方向に回転中の現像スリーブ２６０に現像剤が吸着される。そして、現像スリーブ２６０に吸着された現像剤の層厚が層厚規制部材２４０によって規制され、層厚が規制された現像剤中のキャリアとの摩擦等により帯電されたトナーが、移動領域Ｅにおいて感光体１０２へと移動することで、感光体１０２に形成された潜像が現像される。そして、磁極Ｎ１の作用によって現像スリーブ２６０の表面に吸着され現像スリーブ２６０の回転によって磁極Ｓ２近傍まで搬送されてきた現像剤が、磁極Ｓ２の作用によって磁極Ｓ２近傍で現像スリーブ２６０から離間する。
【００３５】
現像装置２００においては、磁極Ｓ１の磁力をＴ１とした場合に、Ｔ１が９０（ｍＴ）以上であることが望ましい。Ｔ１が９０（ｍＴ）よりも小さいと、現像剤中のキャリアの現像スリーブ２６０に対する吸着力が不十分となり、移動領域Ｅにおいて磁性キャリアが現像スリーブから離間し、感光体１０２へと移動するとの弊害が生じやすくなるためである。また、Ｔ１は、１２０（ｍＴ）以下であることが望ましい。Ｔ１を１２０（ｍＴ）よりも大きくしようとすると、磁石部材２５２の磁極Ｓ１を形成する部分だけ磁石部材２５２の他の部分と異なる材料を用いたり、磁石部材２５２全体を強い磁力を実現させるための高コストの材料を用いて形成したりする必要が生じてしまう。
【００３６】
図３には、現像装置２００における磁極Ｓ３と磁極Ｎ２との好ましい範囲が示されている。また、図３における横軸は磁極Ｓ３の大きさを示し、図３における縦軸は磁極Ｎ２の大きさを示し、横軸、縦軸ともに単位は（ｍＴ）である。また、図３におけるＬ１は、磁極Ｓ１の磁力であるＴ１を１１０（ｍＴ）とするための磁極Ｎ２の大きさと磁極Ｓ３との組合せを示す線であり、図３におけるＬ２は、磁極Ｓ１の磁力であるＴ１を９０（ｍＴ）とするための磁極Ｎ２の磁力の大きさと磁極Ｓ３の磁力の大きさとの組合せを示す線である。
【００３７】
磁極Ｓ３の磁力をＴ３とした場合に、Ｔ３は、図３においてＬ３として示されている値である４０（ｍＴ）以上であることが望ましい。Ｔ３が４０（ｍＴ）よりも小さいと、磁極Ｓ３近傍で現像スリーブ２６０に吸着される現像剤の量が不十分になり、感光体１０２に形成された潜像が良好に現像されない虞がある。これに対して、Ｔ３が４０（ｍＴ）以上であれば、現像スリーブ２６０に吸着される現像剤が不足することを原因とする現像不良が生じにくい。
【００３８】
また、Ｔ３は、図３においてＬ４として示されている値である５５（ｍＴ）以下であることが望ましい。Ｔ３が５５（ｍＴ）よりも大きいと、現像スリーブ２６０に付着する現像剤の量が過多となり、現像スリーブ２６０の回転に伴って層厚規制部材２４０に衝突する現像スリーブ２６０に吸着された現像剤の量が過多となることで、現像スリーブ２６０を回転させるためのトルクが大きくなる虞がある。これに対して、Ｔ３が５５（ｍＴ）以下であれば、現像スリーブ２６０を回転させるためのトルクの増加を抑制することができる。
【００３９】
また、磁極Ｎ２の磁力をＴ２とした場合に、Ｔ２は、図３においてＬ５として示されている値である５０（ｍＴ）以上であることが望ましい。Ｔ２が５０（ｍＴ）よりも小さいと、現像スリーブ２６０による現像剤の搬送量（ＭＯＳ：Mass on sleeve）が不十分となり、感光体１０２に形成された潜像が移動領域Ｅにおいて良好に現像されない虞がある。これに対して、Ｔ２が５０（ｍＴ）以上であれば、現像スリーブ２６０による現像剤の搬送料が十分なものとなり、現像剤の搬送料が不足することにより現像不良が生じにくい。
【００４０】
また、Ｔ２は、図３においてＬ６で示されている値である７５（ｍＴ）以下であることが望ましい。Ｔ２を７５（ｍＴ）よりも大きくしようとすると、磁石部材２５２の磁極Ｎ２を形成する部分だけ磁石部材２５２の他の部分と異なる材料を用いたり、磁石部材２５２全体を強い磁力を実現させるための高コストの材料を用いて形成したりする必要が生じてしまう。
【００４１】
また、磁極Ｓ３の磁力であるＴ３と磁極Ｎ２の磁力であるＴ２とは、１次式である
Ｔ２  ＜  −αＴ３＋β
で規定される関係にあることが望ましい。α及びβは、例えば用いる現像剤の物性、Ｔ３の値、Ｔ２の値等により定められる定数であり、αは正の定数である。
【００４２】
そして、本実施形態に係る画像形成装置１０においては、磁極Ｓ３の磁力であるＴ３と磁極Ｎ２の磁力であるＴ２とは、αを１とし、βを１２０とした領域であり、図３におけるＬ７よりも下側の領域である
Ｔ２  ＜  −１Ｔ３＋１２０
との関係にあることが望ましい。
【００４３】
Ｔ２  ≧  −１Ｔ３＋１２０
であると、Ｔ２との関係においてＴ３が過大となり、磁極Ｓ３により現像スリーブ２６０に吸着される現像剤の量が多くなりすぎ、現像スリーブ２６０の回転に伴って層厚規制部材２４０に衝突する現像スリーブ２６０に吸着された現像剤の量が過多となることで、現像スリーブ２６０を回転させるためのトルクが大きくなってしまう。
【００４４】
図３にIで示す領域は、以上で説明をした磁極Ｓ３の磁力であるＴ３と磁極Ｎ２の磁力であるＴ２との好ましい範囲を示しており、製造ばらつきを考慮すると、図３にIIで示す領域を設計中心値に設定することが好ましい。
【００４５】
また、以上で説明をした実施形態においては、像形成部１００として単色の画像を形成するものを例として示したが、像形成部１００として多色の画像形成する装置に対しても本発明を適用することができる。
【産業上の利用可能性】
【００４６】
以上述べたように、本発明は、少なくとも、例えばプリンタ、ファクシミリ、複写機等の画像形成装置と、例えばこのような画像形成装置に用いられる現像装置とに適用することができる。
【符号の説明】
【００４７】
１０・・・画像形成装置
１２・・・画像形成装置本体
１００・・・像形成部
１０２・・・感光体
２００・・・現像装置
２０２・・・現像装置本体
２４０・・・層厚規制部材
２４２・・・隙間
２５０・・・トナー移動機構
２５２・・・磁石部材
２６０・・・現像スリーブ
Ｅ・・・移動領域
Ｎ・・・接触位置
Ｓ１、Ｎ１、Ｓ２、Ｓ３、Ｎ２・・・磁極
【図１】
2015025896.tif 000003
【図２】
2015025896.tif 000004
【図３】
2015025896.tif 000005